(57)【特許請求の範囲】
【請求項１】
基台の各辺部から複数の側壁パネルが立設され、隣り合う前記側壁パネルの側辺部が互いに連結され、前記立設された複数の側壁パネルを蓋体で覆うことにより箱状に組み立てる組立式箱体であって、
前記複数の側壁パネルうち少なくとも１枚の側壁パネルに両開き扉を備え、
前記両開き扉を開き、前記箱状に組み立てた組立式箱体に収納品を出し入れ可能とし、
前記両開き扉を備える側壁パネルの一方の側辺部には、爪部または凹部が側辺部に沿って連続して設けられ、他方の側辺部には、爪部または凹部が側辺部に沿って複数個設けられ、
前記一方の側辺部に対する隣の前記側壁パネルの側辺部には、凹部または爪部が側辺部に沿って連続して設けられ、
前記他方の側辺部に対する隣の前記側壁パネルの側辺部には、切り欠きを有する凹部または切り欠きを有する爪部が側辺部に沿って連続して設けられ、
前記両開き扉を備える側壁パネルの連結は、前記両開き扉を備える側壁パネルの一方の側辺部に設けられた爪部または凹部を、隣の前記側壁パネルの側辺部に設けられた凹部または爪部に外方斜め方向から挿入した後、前記両開き扉を備える側壁パネルを、隣の前記側壁パネルとの連結部分を軸としながら基台側に回転し、
前記両開き扉を備える側壁パネルの他方の側辺部に設けられた爪部または凹部を、隣の前記側壁パネルの側辺部に設けられた凹部の切り欠きまたは爪部の切り欠きから挿入した後、前記両開き扉を備える側壁パネルを、下方に向けて基台側の方向に移動し、
前記両開き扉を備える側壁パネルの一方の側辺部を、隣の前記側壁パネルの側辺部に連結固定すると共に、他方の側辺部を、隣の前記側壁パネルの側辺部に連結固定することを特徴とする組立式箱体。
【請求項２】
前記両開き扉を備える側壁パネルの側辺部に、
前記側辺部に設けられた爪部または凹部から出没可能にスライドする抜止めピンと、
前記抜止めピンを常に出方向に付勢する付勢部材と、を備え、
前記隣の前記側壁パネルの側辺部に設けられた凹部または爪部に抜止め孔を形成し、
前記両開き扉を備える側壁パネルの連結に際して、
前記両開き扉を備える側壁パネルを、下方に向けて基台側の方向に移動するときに、
前記抜止めピンの先端が押されて前記付勢部材の付勢に抗して移動して没し、前記抜止め孔の位置で、前記抜止めピンの先端が前記爪部または凹部から出て、
前記抜止めピンの先端が前記抜止め孔に嵌合することを特徴とする請求項１に記載の組立式箱体。
【請求項３】
前記両開き扉は、
前記少なくとも１枚の側壁パネルの縦枠に対して、前記両開き扉の側辺部を基台側と基台外側とに、回転可能に連結するヒンジ構造で連結し、
前記ヒンジ構造は、
前記側壁パネルの縦枠に形成された内軸ヒンジと、前記両開き扉の側辺部の枠体に形成された外軸ヒンジから構成され、
前記内軸ヒンジは、前記縦枠に沿って形成され、小円弧軸部と大円弧軸部を有し、
前記小円弧軸部は、基部によって前記縦枠に連結され、前記大円弧軸部は、前記基部に対して前記小円弧軸部を挟んで反対側に位置し、
前記外軸ヒンジは、前記大円弧軸部に摺動して回動する円弧凹部と、前記円弧凹部の一端に形成した前記小円弧軸部に摺動して回動する第１の係止部と、前記円弧凹部の他端に形成した前記小円弧軸部に摺動して回動する第２の係止部とを有し、
前記両開き扉を閉じた状態では、前記第１の係止部が前記基部に当接し、前記第２の係止部が前記大円弧軸部の外側段部に当接して閉じ方向の位置規制を行い、
前記両開き扉を開いた状態では、前記第１の係止部が前記大円弧軸部の内側段部に当接し、前記第２の係止部が前記基部に当接して開き方向の位置規制を行う構成であり、  前記両開き扉を、前記少なくとも１枚の側壁パネルに開閉可能に備えたことを特徴とする請求項１または請求項２に記載の組立式箱体。
【請求項４】
前記両開き扉は、
前記少なくとも１枚の側壁パネルの上横枠及び下横枠に対して、前記両開き扉の上辺部及び下辺部を召し合わせロック構造とし、
前記召し合わせロック構造は、
前記側壁パネルの上横枠及び下横枠に召し合わせ部材を組み付け、
前記両開き扉の側辺部の上部及び下部に出没可能にスライドする抜止めピンの先端部が、前記召し合わせ部材に形成した係合孔に係合する構成であり、
前記抜止めピンはスプリングにより常に出方向に付勢され、
前記両開き扉を開いた状態では、前記スプリングにより前記抜止めピンが出方向に付勢され、前記抜止めピンの先端部が、前記両開き扉の側辺部の上部及び下部から出ており、
前記両開き扉を閉じ方向へ移動させると、前記抜止めピンの先端部のテーパ面が前記召し合わせ部材に当接して押され、
前記抜止めピンは、前記スプリングの付勢に抗して移動し、前記係合孔の位置で、前記抜止めピンの先端が前記係合孔に自動的に嵌合し、
前記両開き扉を開く場合には、摘みを持って前記抜止めピンを前記スプリングの付勢に抗して移動させ、前記抜止めピンの先端を前記係合孔から外し、前記両開き扉を前側に引き、前記両開き扉を開くことが可能であり、  前記召し合わせロック構造により前記両開き扉を、前記少なくとも１枚の側壁パネルに開閉可能としたことを特徴とする請求項１乃至請求項３のいずれか１項に記載の組立式箱体。
【発明の詳細な説明】
【技術分野】
【０００１】
この発明は、トラック輸送、コンテナ輸送、または倉庫保管などにおいて用いられる組立式箱体に関するものである。
【背景技術】
【０００２】
従来より、トラックで荷物を輸送したり、コンテナで貨物を輸送したり、またはそれらを倉庫で保管するに際して箱体が用いられてきた。この箱体は、材質が合成樹脂製やアルミニウム製であったり、大きめの荷物が収容できる大型のものから、小物を収容する小型のものなど様々なものが知られている。
【０００３】
特に、トラックやコンテナで荷物や貨物を輸送する場合には、帰路時において箱体を持ち帰る必要があるが、そのままでは荷台スペースをとってしまうという難点があった。また、倉庫で保管する場合にも、荷物がないときでも箱体が不必要に保管スペースをとってしまうという難点があった。このような難点を解消するものとして、組立式箱体が従来より数多く提案されている（特許文献１〜４参照）。
【先行技術文献】
【特許文献】
【０００４】
【特許文献１】特開２００１−１３０５５６号公報
【特許文献２】特開２０００−２３８７６７号公報
【特許文献３】特開平０９一３９９５７号公報
【特許文献４】特開平０８一１３３２７６号公報
【発明の概要】
【発明が解決しようとする課題】
【０００５】
このような組立式箱体は、輸送時には簡単に組み立てることができ、また不使用時には簡単かつコンパクトに解体することができるため、需要は益々高くなっているが、従来の組立式箱体は、段積強度の確保、軽量化、製造コストの削減、利用が収納目的であるなどから側壁パネルの構造は密閉したボックスである。
【０００６】
ところで、近年では、組立式箱体を収納目的以外に収納倉庫としても利用することが多くなり、この場合には組立式箱体から収納品を出し入れしたり、検品のためにその都度組立式箱体自体を移動したり、段積した組立式箱体を上げ下ろしすることが必要になるが、組立式箱体の側壁パネルの構造が密閉したボックスであると、これらの作業は極めて効率の悪い作業であった。
【０００７】
この発明は、かかる実情に鑑みてなされたもので、組み立てた状態で収納品の出し入れが可能で、かつ段積強度があり、軽量で、安価な組立式箱体を提供することを目的とする。
【課題を解決するための手段】
【０００８】
前記課題を解決し、かつ目的を達成するために、この発明は、以下のように構成した。
【０００９】
請求項１に記載の発明は、基台の各辺部から複数の側壁パネルが立設され、隣り合う前記側壁パネルの側辺部が互いに連結され、前記立設された複数の側壁パネルを蓋体で覆うことにより箱状に組み立てる組立式箱体であって、
前記複数の側壁パネルうち少なくとも１枚の側壁パネルに両開き扉を備え、
前記両開き扉を開き、前記箱状に組み立てた組立式箱体に収納品を出し入れ可能とし、
前記両開き扉を備える側壁パネルの一方の側辺部には、爪部または凹部が側辺部に沿って連続して設けられ、他方の側辺部には、爪部または凹部が側辺部に沿って複数個設けられ、
前記一方の側辺部に対する隣の前記側壁パネルの側辺部には、凹部または爪部が側辺部に沿って連続して設けられ、
前記他方の側辺部に対する隣の前記側壁パネルの側辺部には、切り欠きを有する凹部または切り欠きを有する爪部が側辺部に沿って連続して設けられ、
前記両開き扉を備える側壁パネルの連結は、前記両開き扉を備える側壁パネルの一方の側辺部に設けられた爪部または凹部を、隣の前記側壁パネルの側辺部に設けられた凹部または爪部に外方斜め方向から挿入した後、前記両開き扉を備える側壁パネルを、隣の前記側壁パネルとの連結部分を軸としながら基台側に回転し、
前記両開き扉を備える側壁パネルの他方の側辺部に設けられた爪部または凹部を、隣の前記側壁パネルの側辺部に設けられた凹部の切り欠きまたは爪部の切り欠きから挿入した後、前記両開き扉を備える側壁パネルを、下方に向けて基台側の方向に移動し、
前記両開き扉を備える側壁パネルの一方の側辺部を、隣の前記側壁パネルの側辺部に連結固定すると共に、他方の側辺部を、隣の前記側壁パネルの側辺部に連結固定することを特徴とする組立式箱体である。
請求項２に記載の発明は、前記両開き扉を備える側壁パネルの側辺部に、
前記側辺部に設けられた爪部または凹部から出没可能にスライドする抜止めピンと、
前記抜止めピンを常に出方向に付勢する付勢部材と、を備え、
前記隣の前記側壁パネルの側辺部に設けられた凹部または爪部に抜止め孔を形成し、
前記両開き扉を備える側壁パネルの連結に際して、
前記両開き扉を備える側壁パネルを、下方に向けて基台側の方向に移動するときに、
前記抜止めピンの先端が押されて前記付勢部材の付勢に抗して移動して没し、前記抜止め孔の位置で、前記抜止めピンの先端が前記爪部または凹部から出て、  前記抜止めピンの先端が前記抜止め孔に嵌合することを特徴とする請求項１に記載の組立式箱体である。
【００１０】
請求項３に記載の発明は、前記両開き扉は、
前記少なくとも１枚の側壁パネルの縦枠に対して、前記両開き扉の側辺部を基台側と基台外側とに、回転可能に連結するヒンジ構造で連結し、
前記ヒンジ構造は、
前記側壁パネルの縦枠に形成された内軸ヒンジと、前記両開き扉の側辺部の枠体に形成された外軸ヒンジから構成され、
前記内軸ヒンジは、前記縦枠に沿って形成され、小円弧軸部と大円弧軸部を有し、
前記小円弧軸部は、基部によって前記縦枠に連結され、前記大円弧軸部は、前記基部に対して前記小円弧軸部を挟んで反対側に位置し、
前記外軸ヒンジは、前記大円弧軸部に摺動して回動する円弧凹部と、前記円弧凹部の一端に形成した前記小円弧軸部に摺動して回動する第１の係止部と、前記円弧凹部の他端に形成した前記小円弧軸部に摺動して回動する第２の係止部とを有し、
前記両開き扉を閉じた状態では、前記第１の係止部が前記基部に当接し、前記第２の係止部が前記大円弧軸部の外側段部に当接して閉じ方向の位置規制を行い、
前記両開き扉を開いた状態では、前記第１の係止部が前記大円弧軸部の内側段部に当接し、前記第２の係止部が前記基部に当接して開き方向の位置規制を行う構成であり、  前記両開き扉を、前記少なくとも１枚の側壁パネルに開閉可能に備えたことを特徴とする請求項１または請求項２に記載の組立式箱体である。
【００１１】
請求項４に記載の発明は、前記両開き扉は、
前記少なくとも１枚の側壁パネルの上横枠及び下横枠に対して、前記両開き扉の上辺部及び下辺部を召し合わせロック構造とし、
前記召し合わせロック構造は、
前記側壁パネルの上横枠及び下横枠に召し合わせ部材を組み付け、
前記両開き扉の側辺部の上部及び下部に出没可能にスライドする抜止めピンの先端部が、前記召し合わせ部材に形成した係合孔に係合する構成であり、
前記抜止めピンはスプリングにより常に出方向に付勢され、
前記両開き扉を開いた状態では、前記スプリングにより前記抜止めピンが出方向に付勢され、前記抜止めピンの先端部が、前記両開き扉の側辺部の上部及び下部から出ており、
前記両開き扉を閉じ方向へ移動させると、前記抜止めピンの先端部のテーパ面が前記召し合わせ部材に当接して押され、
前記抜止めピンは、前記スプリングの付勢に抗して移動し、前記係合孔の位置で、前記抜止めピンの先端が前記係合孔に自動的に嵌合し、
前記両開き扉を開く場合には、摘みを持って前記抜止めピンを前記スプリングの付勢に抗して移動させ、前記抜止めピンの先端を前記係合孔から外し、前記両開き扉を前側に引き、前記両開き扉を開くことが可能であり、  前記召し合わせロック構造により前記両開き扉を、前記少なくとも１枚の側壁パネルに開閉可能としたことを特徴とする請求項１乃至請求項３のいずれか１項に記載の組立式箱体である。
【発明の効果】
【００１４】
請求項１に記載の発明では、組立式箱体の複数の側壁パネルうち少なくとも１枚の側壁パネルに両開き扉を備え、両開き扉を開いた状態で、箱状に組み立てた組立式箱体に収納品を出し入れ可能としたことで、組立式箱体を収納、運搬用ボックスの利用だけでなく内容物の点検出し入れ可能な管理ボックスとしての利用が可能になる。また、両開き扉を備えながら強度を有することから段積が可能になりトランクルーム的な利用が可能になり、かつ軽量、安価である。
また、両開き扉を備える側壁パネルの一方の側辺部に設けられた爪部または凹部を、隣の側壁パネルの側辺部に設けられた凹部または爪部に外方斜め方向から挿入した後、両開き扉を備える側壁パネルを、隣の側壁パネルとの連結部分を軸としながら基台側に回転し、両開き扉を備える側壁パネルの他方の側辺部に設けられた爪部または凹部を、隣の側壁パネルの側辺部に設けられた凹部の切り欠きまたは爪部の切り欠きから挿入した後、両開き扉を備える側壁パネルを、下方に向けて基台側の方向に移動し、両開き扉を備える側壁パネルの一方の側辺部を、隣の側壁パネルの側辺部に連結固定すると共に、他方の側辺部を、隣の側壁パネルの側辺部に連結固定し、両開き扉を備える側壁パネルを高く持ち上げることなく容易に隣の側壁パネルに連結固定することができる。
請求項２に記載の発明では、両開き扉を備える側壁パネルの連結に際して、両開き扉を備える側壁パネルを、下方に向けて基台側の方向に移動するときに、抜止めピンの先端が押されて付勢部材の付勢に抗して移動して没し、抜止め孔の位置で、抜止めピンの先端が爪部または凹部から出て、抜止めピンの先端が抜止め孔に嵌合し、自動的に両開き扉を備える側壁パネルの抜け止を行うことができる。
【００１５】
請求項３に記載の発明では、両開き扉は、少なくとも１枚の側壁パネルの縦枠に対して、両開き扉の側辺部を基台側と基台外側とに回転可能に連結するヒンジ構造で連結し、両開き扉を、少なくとも１枚の側壁パネルに開閉可能に備えることで、両開き扉自体には荷重の負担を極力なくする枠組み構造である。
【００１６】
請求項４に記載の発明では、両開き扉は、少なくとも１枚の側壁パネルの上横枠及び下横枠に対して、両開き扉の上辺部及び上辺部を召し合わせロック構造とし、召し合わせロック構造により両開き扉を、少なくとも１枚の側壁パネルに開閉可能としており、組立式箱体自体を傾けたり、横転させる場合があっても両開き扉が開いたり、脱落することを防止することができる。
【図面の簡単な説明】
【００１９】
【図１】組立式箱体の組立状態の斜視図である。
【図２】組立式箱体の組立前を示す図である。
【図３】組立式箱体の組立状態を示す図である。
【図４】蓋体を示す図である。
【図５】左側の側壁パネルと基台の連結を示す図である。
【図６】パネルガイドブラケットを示す図である。
【図７】ガイドピースの取り付けを示す図である。
【図８】前面の側壁パネルを示す図である。
【図９】後面の側壁パネルを示す図である。
【図１０】左右の側壁パネルを示す図である。
【図１１】前面の側壁パネルと左右の側壁パネルの組付、及び後面の側壁パネルと左右の側壁パネルの組付を示す断面図である。
【図１２】前面の側壁パネルの組付けを説明する図である。
【図１３】パネル抜け止め部を示す図である。
【図１４】両開き扉の作動を説明する図である。
【図１５】両開き扉のヒンジ部を説明する図である。
【図１６】両開き扉を閉じた状態を説明する図である。
【図１７】両開き扉を閉じた状態を説明する図である。
【図１８】両開き扉のロックした状態を説明する図である。
【図１９】両開き扉のロックした状態を説明する図である。
【図２０】組立式箱体の組み立て方法を説明する図である。
【発明を実施するための形態】
【００２０】
以下、この発明の組立式箱体の実施の形態について説明する。この発明の実施の形態は、発明の最も好ましい形態を示すものであり、この発明はこれに限定されない。
【００２１】
［組立式箱体の全体構成］
この実施の形態の組立式箱体の全体構成を、図１乃至図４に基づいて説明する。図１は組立式箱体の組立状態の斜視図、図２は組立式箱体の組立前を示す図、図３は組立式箱体の組立状態を示す図、図４は蓋体を示す図である。
【００２２】
この実施の形態の組立式箱体は、箱体の底面部に対応する基台１と、箱体の側面部に対応する４枚の側壁パネル２〜５と、箱体の上部開口部を閉蓋する蓋体６とを備えてなる。側壁パネル２，３が左右の側壁パネルを構成し、側壁パネル４が前面の側壁パネルを構成し、側壁パネル５が後面の側壁パネルを構成する。
【００２３】
基台１は、主に矩形体のアルミニウム製の枠体から構成されるものであり、正面視矩形状のフォークリフト爪用孔部１ａが形成され、所定の重量に耐えうる強度の高い構造である。
【００２４】
左右の側壁パネル２，３は、同様に構成され、正面視方形のアルミニウムの枠体２ａ，３ａと、この枠体２ａ，３ａの内側に合成樹脂製の板材２ｂ，３ｂとを備える。枠体２ａ，３ａは、４本の枠片の隣り合うもの同士が端部をリベット止めされることにより形成され、板材２ｂ，３ｂは、最終的に組立式箱体の側面部の中心となるため、内外からの衝撃に耐えうる強度の高いものが好ましい。
【００２５】
前面の側壁パネル４は、正面視方形のアルミニウムの枠体４ａと、この枠体４ａの内側に両開き扉１０とを備える構成である。両開き扉１０は、正面視方形のアルミニウムの枠体１０ａと、この枠体１０ａの内側に合成樹脂製の板材１０ｂとを備える。枠体１０ａは、４本の枠片の隣り合うもの同士が端部をリベット止めされることにより形成され、板材１０ｂは、最終的に組立式箱体の側面部の中心となるため、内外からの衝撃に耐えうる強度の高いものが好ましい。
【００２６】
後面の側壁パネル５は、正面視方形のアルミニウムの枠体５ａと、この枠体５ａの内側に合成樹脂製の板材５ｂとを備える構成である。枠体５ａは、４本の枠片の隣り合うもの同士が端部をリベット止めされることにより形成され、板材５ｂは、最終的に組立式箱体の側面部の中心となるため、内外からの衝撃に耐えうる強度の高いものが好ましい。
【００２７】
蓋体６は、平面視方形かつ縦断面逆Ｌ字状に形成されたアルミニウムの枠体６ａと、この枠体６ａの内側に設けられた合成樹脂製の板材６ｂとからなる。この蓋体６の内径は組み立てられた側壁パネル２〜５の外径よりも大径に形成されている。
【００２８】
左右の側壁パネル２，３の下部が、それぞれ基台１の左右に組み立て可能に取り付けられており、組み立て前には基台１の上に、前面の側壁パネル４と後面の側壁パネル５を重ねて置き、その上を左右の側壁パネル２，３に覆うように倒し、さらにその上を蓋体６により覆い、組み立て前は組立式箱体が薄型にコンパクトになっている。
【００２９】
この組立式箱体の組み立ては、覆っている蓋体６を取り外し、左右の側壁パネル２，３をそれぞれ基台１の左右に立ち上げ、前面の側壁パネル４を基台１の前側に左右の側壁パネル２，３と連結するように組み付け、後面の側壁パネル５を基台１の後側に左右の側壁パネル２，３と連結するように組み付け、蓋体６を側壁パネル２〜５の上部に載置して閉蓋する。
【００３０】
この実施の形態の組立式箱体は、基台１の各辺部から側壁パネル２〜５が立設され、隣り合う側壁パネルの側辺部が互いに連結され、立設された側壁パネル２〜５を蓋体６で覆うことにより箱状に組み立てる構成で、前面の側壁パネル４に両開き扉１０を備えており、両開き扉１０を開くことで、箱状に組み立てた組立式箱体に収納品を出し入れ可能である。
【００３１】
［左右の側壁パネルと基台の連結構造］
次に、左右の側壁パネルと基台の連結構造を、図５乃至図７に基づいて説明する。図５は左側の側壁パネルと基台の連結を示す図、図６はパネルガイドブラケットを示す図、図７はガイドピースの取り付けを示す図である。左側の側壁パネル２と右側の側壁パネル３は、基台１に同様に連結されるので、左側の側壁パネル２の連結構造について説明し、右側の側壁パネル３の連結構造の説明は省略する。
【００３２】
基台１の左側隅部には、それぞれパネルガイドブラケット８０が溶接などにより立設して固定されている。このパネルガイドブラケット８０は、図６に示すように、正面及び側面から見て矩形で、上面から見てＬ字状であり、前側面部８０ａと左側面部８０ｂを有する。前側面部８０ａには、円弧状のガイド溝８０ｃが形成され、上面にはガイド溝８０ｃの下部に対応する位置に係合凹部８０ｄが形成され、ガイド溝８０ｃの上部に対応する位置にガイド切欠部８０ｅとガイド段部８０ｆが形成されている。
【００３３】
左側の側壁パネル２の枠体２ａには、ガイドピース８１が取り付けられている。このガイドピース８１は、図７に示すように、断面コ字状であり、左側の側壁パネル２の枠体２ａを覆うように組み付けてリベット８２〜８４で固定され、リベット８２，８３により固定された位置に対応して留め具８５，８６が取り付けられている。
【００３４】
左側の側壁パネル２の下部は、ガイドピース８１に取り付けた留め具８５がガイド溝８０ｃに沿って移動可能に組み付けられ、組み立て前では左側の側壁パネル２を倒した水平状態であり、留め具８５がガイド溝８０ｃの上部に位置する。この状態から左側の側壁パネル２を起こすと、留め具８５がガイド溝８０ｃに沿って下方へ移動していき、留め具８６がガイド切欠部８０ｅとガイド段部８０ｆに案内されて左側の側壁パネル２を起こした垂直状態になる。この左側の側壁パネル２を起こした垂直状態では、留め具８５がガイド溝８０ｃの下部に位置し、留め具８６が係合凹部８０ｄに係合して垂直状態を維持する。左側の側壁パネル２を起こすときに、留め具８６がガイド切欠部８０ｅとガイド段部８０ｆにガイドされるために、左側の側壁パネル２を円滑に垂直状態にすることができる。
【００３５】
［前面の側壁パネルと左右の側壁パネルの組付構造、及び後面の側壁パネルと左右の側壁パネルの組付構造］
次に、前面の側壁パネルと左右の側壁パネルの組付構造、及び後面の側壁パネルと左右の側壁パネルの組付構造を、図８乃至図１３に基づいて説明する。図８は前面の側壁パネルを示す図、図９は後面の側壁パネルを示す図、図１０は左右の側壁パネルを示す図、図１１は前面の側壁パネルと左右の側壁パネルの組付、及び後面の側壁パネルと左右の側壁パネルの組付を示す断面図、図１２は前面の側壁パネルの組付けを説明する図、図１３はパネル抜け止め部を示す図である。
【００３６】
前面の側壁パネル４と後面の側壁パネル５は、前面の側壁パネル４に両開き扉１０を備える点で異なるがその他の構造は同様である。前面の側壁パネル４と左右の側壁パネル２，３の組付構造、及び後面の側壁パネル５と左右の側壁パネル２、３の組付構造は、同じであるので、前面の側壁パネル４の組付構造について説明し、後面の側壁パネル５の組付構造の説明は省略する。
【００３７】
前面の側壁パネル４は、図８に示すように、両開き扉１０を備え、左側の側辺部には、枠体４ａに爪部４１が側辺部に沿って連続して設けられ、右側の側辺部には、枠体４ａに爪部４２が側辺部に沿って複数個設けられ、この実施の形態では３個設けられている。後面の側壁パネル５は、図９に示すように、両開き扉を備えない構成であり、左側の側辺部には、枠体５ａに爪部５１が側辺部に沿って連続して設けられ、右側の側辺部には、枠体５ａに爪部５２が側辺部に沿って複数個設けられ、この実施の形態では３個設けられている。
【００３８】
左右の側壁パネル２，３は、図１０に示すように、側壁パネル２，３の側辺部には、枠体２ａ，３ａの右側に凹部２１，３１が側辺部に沿って連続して設けられ、枠体２ａ，３ａの左側に切り欠き２２ａ，３２ａを有する凹部２２，３２が側辺部に沿って連続して設けられている。この実施の形態では、切り欠き２２ａ，３２ａ  が前面の側壁パネル４及び後面の側壁パネル５の２個の爪部に対応して２個設けられている。
【００３９】
前面の側壁パネル４は、図１２に示すように、左側の側辺部に設けられた爪部４１を、隣の左側の側壁パネル２の側辺部に設けられた凹部２１に外方斜め方向から挿入した後、前面の側壁パネル４を、側壁パネル２との連結部分を軸としながら基台内側に回転する。そして、前面の側壁パネル４の左側の側辺部に設けられた爪部４２を、右側の側壁パネル３の側辺部に設けられた凹部３２の切り欠き３２ａから挿入し、その後、前面の側壁パネル４を、下方に向けて基台側の方向に移動する。この前面の側壁パネル４の移動によって、前面の側壁パネル４の爪部４２が切り欠き３２ａから凹部３２に係合し、前面の側壁パネル４の一方の側辺部を、隣の側壁パネル２の側辺部に連結固定すると共に、他方の側辺部を、隣の側壁パネル３の側辺部に連結固定する。後面の側壁パネル５も同様にして、一方の側辺部を、隣の側壁パネル２の側辺部に連結固定すると共に、他方の側辺部を、隣の側壁パネル３の側辺部に連結固定する。
【００４０】
前面の側壁パネル４の両側辺部の上部には、図１３に示すように、それぞれ爪部４１，４２から出没可能にスライドする抜止めピン５０と、抜止めピン５０を常に出方向に付勢するスプリング５１とを備えており、スプリング５１は付勢部材を構成する。抜止めピン５０は、スライダ５２に連結ピン５３により固定され、スライダ５２とストッパ５４との間にスプリング５１が配置されている。ストッパ５４は、リベット５５により枠体４ａに固定されている。スライダ５２には、摘み５６がスライダ軸に対して直交する方向に取り付けられ、この摘み５６が枠体４ａに形成されたガイド孔４ａ１に移動可能になっている。後面の側壁パネル５の両側辺部の上部にも同様に、それぞれ爪部５１，５２から出没可能にスライドする抜止めピン５０と、抜止めピン５０を常に出方向に付勢するスプリング５１とを備えており、スプリング５１は付勢部材を構成する。隣の左の側壁パネル２の側辺部には、凹部２１に抜止め孔２１ａが形成され、抜止め孔２１ａは抜止めピン５０の先端部５０ａが嵌合する形状であり、隣の右の側壁パネル３の側辺部にも凹部３１に同様に抜止め孔が形成される構成である。
【００４１】
前面の側壁パネル４の両側辺部の上部では、それぞれスプリング５１により抜止めピン５０が出方向に付勢されて先端部５０ａが爪部４１，４２から出ており、図１３（ｃ）に示すように、前面の側壁パネル４を左右の側壁パネル２，３に連結する際に、前面の側壁パネル４を下方に移動させると、この前面の側壁パネル４の移動により抜止めピン５０の先端部５０ａのテーパ面５０ａ１が凹部２１．３２により押されてスプリング５１の付勢に抗して移動して爪部４１，４２に没し、抜止め孔２１ａ，３２ｂの位置で、没した抜止めピン５０の先端部５０ａが爪部４１，４２から出、抜止めピン５０の先端部５０ａが抜止め孔２１ａ，３２ｂに自動的に嵌合する。
【００４２】
前面の側壁パネル４を左右の側壁パネル２，３から取り外す場合には、摘み５６を持って抜止めピン５０をスプリング５１の付勢に抗して移動させ、抜止めピン５０の先端部５０ａを抜止め孔２１ａ，３２ｂから外して爪部４１，４２に没するようにし、前面の側壁パネル４を上方へ引き上げて、前面の側壁パネル４の爪部４１を、左側の側壁パネル２との連結部分を軸としながら基台外側に回転し、爪部４２を右側の側壁パネル３の凹部３２の切り欠き３２ａから外し、その後、前面の側壁パネル４の爪部４１を、左側の側壁パネル２の凹部２１から外方斜め方向へ移動して取り外す。後面の側壁パネル５にも前面の側壁パネル４と同様に、側壁パネルの抜け止め構造が設けられ、同様に側壁パネル２，３から取り外す構成である。
【００４３】
このように、両開き扉１０を備える前面の側壁パネル４及び後面の側壁パネル５は、高く持ち上げることなく容易に隣の側壁パネル２，３に連結固定し、また取り外すことができる。この前面の側壁パネル４及び後面の側壁パネル５と、左右の側壁パネル２，３との連結は、一方の側辺部に設けられた爪部４１，５１を左右の側壁パネル２，３の一方の凹部２１，３１に係合し、他方の側辺部に設けられた爪部４２，５２を左右の側壁パネル２，３の他方の凹部２２，３２に係合して連結固定して一体化しており、荷重に対して強固な断面を形成している。
【００４４】
この実施の形態では、前面の側壁パネル４の一方の側辺部に爪部４１が側辺部に沿って連続して設けられ、他方の側辺部には、爪部４２が側辺部に沿って複数個設けられているが、一方の側辺部に凹部を側辺部に沿って連続して設け、他方の側辺部には、凹部を側辺部に沿って複数個設けてもよい。この場合には、前面の側壁パネル４の一方の側辺部に対する隣の側壁パネル２の側辺部には、爪部を側辺部に沿って連続して設け、他方の側辺部に対する隣の側壁パネル３の側辺部には、切り欠きを有する爪部が側辺部に沿って連続して設け、この実施の形態と同様にして前面の側壁パネル４を左右の側壁パネル２，３に組み付け、取り外す。後面の側壁パネル５にも前面の側壁パネル４と同様に構成することができる。
【００４５】
［両開き扉の構造］
次に、前面の側壁パネルに備える両開き扉の構造を、図１４乃至図１９に基づいて説明する。図１４は両開き扉の作動を説明する図、図１５は両開き扉のヒンジ部を説明する図、図１６及び図１７は両開き扉を閉じた状態を説明する図、図１８及び図１９は両開き扉のロックした状態を説明する図である。
【００４６】
両開き扉１０は、図１４及び図１５に示すように、枠体１０ａと、この枠体１０ａの内側に板材１０ｂとを備える構成であり、前面の側壁パネル４の枠体４ａを構成する縦枠４ａ１に対して、両開き扉１０の側辺部を基台側と基台外側とに回転可能に連結するヒンジ構造Ａで連結し、両開き扉１０が前面の側壁パネル４に開閉可能である。
【００４７】
ヒンジ構造Ａは、縦枠４ａ１に一体に形成された内軸ヒンジ４ａ２と、両開き扉１０の側辺部の枠体１０ａに一体に形成された外軸ヒンジ１０ｃから構成される。内軸ヒンジ４ａ２は、縦枠４ａ１に沿って形成され、小円弧軸部４ａ２１と大円弧軸部４ａ２２を有する。小円弧軸部４ａ２１は、基部４ａ２３によって縦枠４ａ１に一体に連結され、大円弧軸部４ａ２２は、基部４ａ２３に対して小円弧軸部４ａ２１を挟んで反対側に位置している。外軸ヒンジ１０ｃは、大円弧軸部４ａ２２に摺動して回動する円弧凹部１０ｃ１と、円弧凹部１０ｃ１の一端に形成した小円弧軸部４ａ２１に摺動して回動する係止部１０ｃ２と、円弧凹部１０ｃ１の他端に形成した小円弧軸部４ａ２１に摺動して回動する係止部１０ｃ３とを有する。  
【００４８】
内軸ヒンジ４ａ２の上部には、ワッシャー５８を介して薄平頭リベット５９が圧入され、外軸ヒンジ１０ｃが内軸ヒンジ４ａ２から抜けないようになっている。
【００４９】
両開き扉１０を閉じた状態では、係止部１０ｃ２が基部４ａ２３に当接し、係止部１０ｃ３が大円弧軸部４ａ２２の外側段部４ａ２２１に当接して閉じ方向の位置規制を行い（図１４（ｂ））、両開き扉１０を開いた状態では、係止部１０ｃ２が大円弧軸部４ａ２２の内側段部４ａ２２２に当接し、係止部１０ｃ３が基部４ａ２３に当接して開き方向の位置規制を行う（図１４（ｃ））。この両開き扉１０を閉じた状態では、係止部１０ｃ３が大円弧軸部４ａ２２の外側段部４ａ２２１に当接し、両開き扉１０が内側に外れることを防止し、両開き扉１０を開いた状態では、係止部１０ｃ３が大円弧軸部４ａ２２の内側段部４ａ２２２に当接し、両開き扉１０が外側に外れることを防止し、両開き扉１０を抜け難くしている。すなわち、ヒンジ構造Ａは、両開き扉１０が９０°回転して開閉しても脱落の可能性がなく、脱落防止と接触面の減少により抵抗の少ない軸構造である。この実施の形態のヒンジ構造Ａは、両開き扉１０が９０°回転して開閉するように構成されているが、図１４（ｄ）及び図１４（ｅ）に示すように、両開き扉１０を開いた状態では、係止部１０ｃ２が大円弧軸部４ａ２２の内側段部４ａ２２２に当接し、係止部１０ｃ３が基部４ａ２３に当接して開き方向の位置規制を行い、両開き扉１０が９０°以上回転して開閉できるようにしてもよい。
【００５０】
このように、前面の側壁パネル４の枠体４ａを構成する縦枠４ａ１に対して、両開き扉１０の側辺部の枠体１０ａを基台側と基台外側とに回転可能に連結するヒンジ構造Ａで連結することで、両開き扉１０を、前面の側壁パネル４に簡単かつ安価に開閉可能に備えることができる。また、前面の側壁パネル４の枠体４ａに両開き扉１０の枠体１０ａを備えることで、両開き扉１０自体には荷重の負担を極力なくす枠組み構造としている。この両開き扉１０の枠体１０ａと前面の側壁パネル４の枠体４ａとの連結は、押し出し形材によるヒンジ構造Ａを採用し、両開き扉１０の枠体１０ａの開閉端側に覆い部１０ａ１を形成して召し合わせ構造にすることで、防塵と使用強度を向上させることができる。
【００５１】
前面の側壁パネル４には、図１６及び図１７に示すように、枠体４ａを構成する上側の横枠４ａ３に召し合わせ部材６０を組み付け、この召し合わせ部材６０にガイドローラ６１を軸ピン６２に回転可能に設けている。このガイドローラ６１は、両開き扉１０の上面が接する位置に配置され、両開き扉１０を開閉する際に枠体１０ａがガイドローラ６１を回転することで、両開き扉１０の開閉を容易にしている。前面の側壁パネル４の枠体４ａを構成する下側の横枠にも同様に召し合わせ部材を組み付けた同様な構成である。
【００５２】
このように、両開き扉１０の上下と、前面の側壁パネル４の枠体４ａの上下横枠との間には、両開き扉１０を開閉するための隙間が有り、特に召し合せ部は両開き扉１０の扉先端がフリーになるが、ガイドローラ６１を設けることで、ガイドローラ６１によって強度枠と扉枠の間に枠体の連結支持及び開閉時の扉の開閉をスムースに作動でき、かつガイドローラ６１が荷重の分散支点にもなる。
【００５３】
両開き扉１０は、図１８及び図１９に示すように、前面の側壁パネル４の枠体４ａの上横枠４ａ３に対して、両開き扉１０の上辺部を召し合わせロック構造Ｂで連結し、両開き扉１０を、前面の側壁パネル４に開閉可能に備えた構成である。召し合わせロック構造Ｂは、両開き扉１０の側辺部の上部に出没可能にスライドする抜止めピン７０の先端部７０ａが、召し合わせ部材６０に形成した係合孔６５に係合する構成である。
【００５４】
抜止めピン７０とストッパー７２との間に、スプリング７３が配置され、抜止めピン７０はスプリング７３により常に出方向に付勢されている。ストッパー７２は、リベット７４により両開き扉１０の枠体１０ａに固定されている。抜止めピン７０には、摘み７５が抜止めピン軸に対して直交する方向に取り付けられ、この摘み７５が両開き扉１０の枠体１０ａに形成されたガイド孔１０ａ１に移動可能になっている。
【００５５】
両開き扉１０を開いた状態では、スプリング７３により抜止めピン７０が出方向に付勢され、抜止めピン７０の先端部７０ａが、両開き扉１０の側辺部の上部から出ている。両開き扉１０を閉じ方向へ移動させると、この両開き扉１０の移動により抜止めピン７０の先端部７０ａのテーパ面７０ａ１が召し合わせ部材６０に当接して押される。これにより、抜止めピン７０は、スプリング５１の付勢に抗して移動し、係合孔６５の位置で、抜止めピン７０の先端７０ａが係合孔６５に自動的に嵌合する。両開き扉１０を開く場合には、摘み７５を持って抜止めピン７０をスプリング７３の付勢に抗して移動させ、抜止めピン７０の先端７０ａを係合孔６５から外し、両開き扉１０を前側に引き、両開き扉１０を開くことができる。
【００５６】
このように、前面の側壁パネル４の枠体４ａの上横枠に対して両開き扉１０の上辺部を召し合わせロック構造Ｂで連結し、両開き扉１０を前面の側壁パネル４に簡単かつ安価に開閉可能に備えることができる。また、召し合わせロック構造Ｂは、両開き扉１０の枠体１０ａの内部に内蔵し、抜止めピン７０をスプリング７３により常時突出の状態にあり、両開き扉１０を閉じる時点では抜止めピン７０の先端７０ａのテーパ面７０ａ１により自動的に押し下げられ両開き、両開き扉１０が閉じた状態では元の戻りロック状態になる簡単な構造であるが、別の方法として落し形式の手動の方法も可能である。
【００５７】
前面の側壁パネル４の枠体４ａの下横枠に対しても両開き扉１０の上辺部を召し合わせロック構造Ｂで連結し、同様に両開き扉１０を前面の側壁パネル４に簡単かつ安価に開閉可能に備えている。このように、前面の側壁パネル４に備えた両開き扉１０は、両開き扉１０の上部と下部が召し合わせロック構造Ｂで枠体４ａの上横枠と、下横枠に連結され、両開き扉１０が枠体４ａによって補強されており、組立式箱体自体を傾けたり、横転させる場合があっても両開き扉１０が開いたり、脱落することを防止することができる。  
【００５８】
［組立式箱体の組み立て方法］
次に、組立式箱体の組み立て方法について、図２０を参照しつつ説明する。組立式箱体は、組み立て前の収納状態では、図２０（ａ）に示すように、床面等に載置した基台１に前面の側壁パネル４と後面の側壁パネル５を重ねて置き、その上に左右の側壁パネル２，３を覆うように倒し、さらにその上を蓋体６で覆い、組み立て前は組立式箱体が薄型にコンパクトになっている。
【００５９】
この組立式箱体の組み立ては、図２０（ｂ）に示すように、覆っている蓋体６を取り外し、図２０（ｃ），  （ｄ）に示すように、左右の側壁パネル２，３をそれぞれ基台１の左右に立ち上げる。次に、前面の側壁パネル４を、図２０（ｅ）に示すように、基台１の前側に左右の側壁パネル２，３と連結するように組み付け、図２０（ｆ）に示すように、後面の側壁パネル５を基台１の後側に左右の側壁パネル２，３と連結するように組み付ける。そして、図２０（ｇ）に示すように、蓋体６を側壁パネル２〜５の上部に載置して閉蓋する。
【００６０】
この組立式箱体を使用する時には、組み立てた状態で蓋体６を開いて上方から収納品の出し入れができ、また蓋体６を閉じた状態で前面の側壁パネル４に備えた両開き扉１０を開いて収納品を出し入れすることができる。また、組立式箱体に収納品を入れた状態で複数段に積み重ね、この複数段に積み重ねた状態で両開き扉１０を開いて収納品を出し入れすることができ、例えば検品の都度組立式箱体自体の移動や、上げ下ろしが不要となり作業効率が向上する。
【００６１】
この組立式箱体を使用しない時には、前面の側壁パネル４と後面の側壁パネル５が基台１と分離され、左右の側壁パネル２，３の下部が基台１に折り畳み可能に組み付けられている構造であるから、基台１に前面の側壁パネル４と後面の側壁パネル５を上下に重ねて置き、その上に左右の側壁パネル２，３を覆うように倒し、さらにその上を蓋体６で覆い、この収納状態が薄型でコンパクトであるから未使用時の保管、運送時の運搬が容易である。
【００６２】
このように、組立式箱体は、収納、運搬用ボックスの利用だけでなく内容物の点検出し入れ可能な管理ボックスとしての利用が可能になる。また、前面の側壁パネル４に両開き扉１０を備えながら強度を有することから段積が可能になりトランクルーム的な利用が可能になる。また、前面の側壁パネル４に両開き扉１０を備えながらコンパクトに折り畳み収納ができ、運送、保管管理にスペースを取らないし、工具を使わず組立ができる。また、左右の側壁パネル２，３、前面の側壁パネル４、後面の側壁パネル５や両開き扉１０の枠体に、アルミ合金のフレーム材を用いることで、軽量化でき、防蝕性にも優れメンテナンスも容易である。また、両開き扉１０と前面の側壁パネル４の枠体の上下横枠間及び召し合せ框間には、戸当り煙返しを設け、扉吊元側は連結ヒンジ形式を採用することで、防塵性にも優れる。
【産業上の利用可能性】
【００６３】
この発明は、トラック輸送、コンテナ輸送、または倉庫保管などにおいて用いられる組立式箱体に適用され、組み立てた状態で収納品の出し入れが可能で、かつ段積強度があり、軽量で、安価である。
【符号の説明】
【００６４】
１  基台
２〜５  側壁パネル
２ａ，３ａ，４ａ，５ａ  枠体
２ｂ，３ｂ，４ｂ，５ｂ  板材
４ａ２  内軸ヒンジ
６  蓋体
６ａ  枠体
６ｂ  板材
１０  両開き扉
１０ａ  枠体
１０ｂ  板材
１０ｃ  外軸ヒンジ
２１，２２，３１，３２凹部
４１，４２，５１，５２  爪部
５０  抜止めピン
５１  スプリング
６０  召し合わせ部材
６１  ガイドローラ
６５  係合孔
７０  抜止めピン
７３  スプリング
８０  パネルガイドブラケット
８０ａ  ガイド溝
８１  ガイドピース
８５，８６  留め具
Ａ  ヒンジ構造
Ｂ  召し合わせロック構造
【図１】
0006399599.tif 000002
【図２】
0006399599.tif 000003
【図３】
0006399599.tif 000004
【図４】
0006399599.tif 000005
【図５】
0006399599.tif 000006
【図６】
0006399599.tif 000007
【図７】
0006399599.tif 000008
【図８】
0006399599.tif 000009
【図９】
0006399599.tif 000010
【図１０】
0006399599.tif 000011
【図１１】
0006399599.tif 000012
【図１２】
0006399599.tif 000013
【図１３】
0006399599.tif 000014
【図１４】
0006399599.tif 000015
【図１５】
0006399599.tif 000016
【図１６】
0006399599.tif 000017
【図１７】
0006399599.tif 000018
【図１８】
0006399599.tif 000019
【図１９】
0006399599.tif 000020
【図２０】
0006399599.tif 000021